(57)【特許請求の範囲】
【請求項１】
操作パネル（１）に設ける１本の操向レバー（２）を左右に傾倒自在にし、その左方又は右方への傾倒動作に連動する各サイドクラッチワイヤー（３）、（４）を介して左右のサイドクラッチを「入切」可能にした走行農機の走行操作装置において、サイドクラッチワイヤー（３）、（４）を連結するサイドクラッチ作動体（９）を左右方向へ回動自在に嵌挿する支軸（１０）と、走行ブレーキワイヤー（５）及び走行クラッチワイヤー（２０）を連結する走行クラッチ作動体（６）を前後方向へ回動自在に嵌挿する支軸（１５）を直交させて配設し、前記サイドクラッチ作動体（９）に操向レバー（２）を前後方向に回動自在に連動連結して設けるとともに、前記走行クラッチ作動体（６）の上部から操向レバー（２）側へ向けて延出した係合部材（７）に前記操向レバー（２）を係合して設け、該操向レバー（２）を前記操作パネル（１）に逆３角形状に形成したガイド穴（８）に沿って移動可能にしたことを特徴とする走行農機の走行操作装置。
【発明の詳細な説明】
【０００１】
【発明の属する技術分野】
本発明は、自走式脱穀機のような走行農機の走行操作装置に関する。
【０００２】
【従来の技術】
従来、走行農機の走行操作装置としては、１本の操向レバーを左右側に傾倒自在にして、その左方又は右方への傾倒操作により左右のサイドクラッチを「入切」する技術が既に公知であるが、走行ブレーキ操作までもこの操向レバーでは行えないのである。
【０００３】
【発明が解決しようとする課題】
本発明は、上記従来の走行操作手段のものを更に前進させることによって、操向レバーによる左右のサイドクラッチ「入切」の操作に加えて走行ブレーキ操作が行えるものにする。
【０００４】
【課題を解決するための手段】
本発明は、操作パネル（１）に設ける１本の操向レバー（２）を左右に傾倒自在にし、その左方又は右方への傾倒動作に連動する各サイドクラッチワイヤー（３）、（４）を介して左右のサイドクラッチを「入切」可能にした走行農機の走行操作装置において、サイドクラッチワイヤー（３）、（４）を連結するサイドクラッチ作動体（９）を左右方向へ回動自在に嵌挿する支軸（１０）と、走行ブレーキワイヤー（５）及び走行クラッチワイヤー（２０）を連結する走行クラッチ作動体（６）を前後方向へ回動自在に嵌挿する支軸（１５）を直交させて配設し、前記サイドクラッチ作動体（９）に操向レバー（２）を前後方向に回動自在に連動連結して設けるとともに、前記走行クラッチ作動体（６）の上部から操向レバー（２）側へ向けて延出した係合部材（７）に前記操向レバー（２）を係合して設け、該操向レバー（２）を前記操作パネル（１）に逆３角形状に形成したガイド穴（８）に沿って移動可能にしたことにより、緊急時の走行ブレーキ操作が誤操作のおそれなく迅速にできて、簡単な構造にしてコスト安に製作できるようになる。
【０００５】
【発明の実施の形態】
操縦部の操作パネルに設ける１本の操向レバーを左右側に傾倒自在にし、その左方又は右方への傾倒動作に連動する各サイドクラッチワイヤーを介して左右のサイドクラッチを「入切」可能にするとともに、操向レバーを前後方向にも傾倒自在として、操向レバーの近傍部に走行ブレーキワイヤーを牽引する走行クラッチ作動体を設け、その走行クラッチ作動体側から操向レバー側に係合部材を突出させて、係合部材を操向レバーに交叉させることにより、操向レバーの後方への傾倒操作により係合部材を介して走行クラッチ作動体を回動させ走行ブレーキワイヤーを牽引して機体を停止させる。
【０００６】
【実施例】
以下、本発明の走行操作装置について実施例図により説明すると、この実施例に記載された走行農機は自走式脱穀機であって、「図５」に示すように、走行機台（８）の前側部に脱穀部（Ａ）を搭載し、後側部にエンジン（Ｅ）を設置するとともに操縦部（Ｂ）が配置され、そのエンジン（Ｅ）の後方に籾袋に籾を受ける籾収納部（Ｃ）が設けられて、操縦部（Ｂ）における操作で機体を走行させ、脱穀部（Ａ）で穀稈を脱穀処理し処理後の籾を籾収納部（Ｃ）で収納するのである。
【０００７】
そこで、「図１」〜「図２」に示す第１実施例のものについて記載すると、（１）は左右横方向に幅広い操作パネル、（２）は操作ガイド穴（８）から操作パネル（１）上に突出した操向レバーであって、操作ガイド穴（８）はＹ字状に形設されている。（９）は前後方向の支軸（１０）に回動自在に嵌合したサイドクラッチ作動体、（１１）、（１２）はこの作動体（９）から突設したアーム、（１３）はその作動体（９）に固設したＵ字形金具で、前記操向レバー（２）の下端部はＵ字形金具に左右横方向のピン（１４）により樞着されて操向レバー（２）は支軸（１０）を軸にして左右側に傾倒自在になり、また、ピン（１４）を支点にして前後方向にも傾倒自在になるとともに、前記アーム（１１）、（１２）にはサイドクラッチワイヤー（３）、（４）がそれぞれ連繋されている。
【０００８】
また、（６）は操向レバー（２）の近傍部において左右横方向の支軸（１５）に回動自在に嵌合した走行クラッチ作動体、（１６）、（１７）はこの作動体（６）から前後に突設したアーム、（１８）は走行クラッチレバーで下端部を前記作動体（６）に取着するとともに前後方向の長穴に形設したクラッチガイド穴（１９）から上方に突出し、アーム（１６）、（１７）には走行ブレーキワイヤー（５）と走行クラッチワイヤー（２０）がそれぞれ連繋され、前記走行クラッチレバー（１８）の基部から操向レバー（２）側に向けて棒状の係合部材（７）を、突設し操向レバー（２）に交叉させている。なお、（２１）は変速レバーを示したものである。
【０００９】
即ち、走行クラッチレバー（１８）をクラッチガイド穴（１９）にそって前方に傾倒すると、係合部材（７）は操向レバー（２）に当接し該操向レバー（２）を「図２」に示す操作ガイド穴（８）内を（イ）の位置から矢印（ａ）のように移動させるとともに、走行クラッチ作動体（６）側のアーム（１７）は上方に回動し走行クラッチワイヤー（２０）を牽引して走行クラッチが「入」し、そこで、操向レバー（２）を矢印（ｂ）方向に傾倒させて（ロ）の位置に移動することにより、サイドクラッチ作動体（９）側のアーム（１１）を上方に回動させて一方のサイドクラッチワイヤー（３）を牽引し、また、矢印（ｃ）方向に傾倒して（ハ）の位置にすると、アーム（１２）を上動させて他方のサイドクラッチワイヤー（４）を牽引して、左又は右のサイドクラッチを「切」する。
【００１０】
次に、操向レバー（２）を後方に傾倒すると、該操向レバー（２）は係合部材（７）に前側から当接して（イ）の位置に復帰するとともに、係合部材（７）により走行クラッチ作動体（６）側のアーム（１７）は下動して走行クラッチを「切」すると同時にアーム（１６）側は上動し走行ブレーキワイヤー（５）を牽引して走行ブレーキを作動させる。
【００１１】
そして、前記操向レバー（２）の後方への傾倒操作の場合、操作ガイド穴（８）がＹ字状に形設されていて、操向レバー（２）が（ロ）又は（ハ）の位置にあって左又は右のサイドクラッチを「切」にしている状態、即ち、左旋回又は右旋回の時、操向レバー（２）は操作ガイド穴（８）の斜縁（８ａ）又は（８ｂ）にそって矢印（ｄ）のように移動させることができ（イ）の位置への復帰を速やかにし、走行ブレーキ作動をより迅速にする。
【００１２】
また、「図３」に示すものは操作パネル（１）に形設した操作ガイド穴（８）の他の実施例を示したもので、そのガイド穴（８）を逆３角形状に形設することによって、操向レバー（２）を矢印（ｅ）のように移動させて前記（ロ）又は（ハ）の位置から（イ）位置への復帰を最短距離にしている。
【００１３】
そして、「図４」は本発明による装置の第２実施例を示したもので、の第１実施例のものと相違するところは、走行クラッチレバー（１８）及びクラッチガイド穴（１９）がなく、係合部材（７）と走行クラッチ作動体（６）と操作ガイド穴（８）の形状を異にしているものであるから、その形状を異にするものについてのみ記載し、他の構成に関しては同一の符号を付して説明を省略する。
【００１４】
即ち、係合部材（７）は板状のものに操向レバー（２）が縦方向に貫挿する左右横方向に長い切込溝（２２）を設けたもので、支軸（１５）に回動自在に嵌合した扇形状の走行クラッチ作動体（６）の上部から操向レバー（２）側に突設して該作動体（６）と一体に成形され、また、操作ガイド穴（８）は前後方向に長い長方形状にしている。
【００１５】
したがって、操向レバー（２）を同図に示す操作ガイド穴（８）内で（イ）の位置から前方に移動させると、係合部材（７）は前方に移動して走行クラッチ作動体（６）により走行クラッチワイヤー（２０）を牽引して走行クラッチが「入」し、そこで、操向レバー（２）を（ロ）の位置に移動させることにより、サイドクラッチ作動体（９）側のアーム（１１）は上動してサイドクラッチワイヤー（３）を牽引し、また、（ハ）の位置に移動させるとサイドクラッチワイヤー（４）を牽引して、左又は右のサイドクラッチを「切」する。
【００１６】
そして、操向レバー（２）を（ロ）、（ハ）の位置及びその中間位置から後方に移動すると、操向レバー（２）は（イ）の位置に復帰するとともに、係合部材（７）と走行クラッチ作動体（６）及び走行クラッチワイヤー（２０）を介して走行クラッチを「切」すると同時に走行ブレーキワイヤー（５）を牽引して走行ブレーキを作動させるようになる。
【００１７】
【発明の効果】
本発明は、以上説明したような形態で実施され、次に記載するような効果を奏するのである。
【００１８】
操作パネル（１）に設ける１本の操向レバー（２）を左右に傾倒自在にし、その左方又は右方への傾倒動作に連動する各サイドクラッチワイヤー（３）、（４）を介して左右のサイドクラッチを「入切」可能にした走行農機の走行操作装置において、サイドクラッチワイヤー（３）、（４）を連結するサイドクラッチ作動体（９）を左右方向へ回動自在に嵌挿する支軸（１０）と、走行ブレーキワイヤー（５）及び走行クラッチワイヤー（２０）を連結する走行クラッチ作動体（６）を前後方向へ回動自在に嵌挿する支軸（１５）を直交させて配設し、前記サイドクラッチ作動体（９）に操向レバー（２）を前後方向に回動自在に連動連結して設けるとともに、前記走行クラッチ作動体（６）の上部から操向レバー（２）側へ向けて延出した係合部材（７）に前記操向レバー（２）を係合して設け、該操向レバー（２）を前記操作パネル（１）に逆３角形状に形成したガイド穴（８）に沿って移動可能にしたことにより、操作が容易になり誤操作のおそれなく、緊急時の走行ブレーキ操作が迅速で、簡単な構造にしてコスト安に製作できる。
更に、走行ブレーキ操作が不要で一層簡潔になって部品点数を少なくしコスト安になる利点を有する。
【図面の簡単な説明】
【図１】        走行操作装置の第１実施例のものを示す斜視図である。
【図２】        同実施例における操作ガイド穴の平面図である。
【図３】        同操作ガイド穴の他実施例平面図である。
【図４】        走行操作装置の第２実施例のものを示す斜視図である。
【図５】        自走式脱穀機全体の側面図である。
【符号の説明】
１        操作パネル
２        操向レバー
３        サイドクラッチワイヤー
４        サイドクラッチワイヤー
５          走行ブレーキワイヤー
６          走行クラッチ作動体
７          係合部材
８          ガイド穴
９          サイドクラッチ作動体
１０        支軸
１５        支軸
２０        走行クラッチワイヤー
【図１】
0003694110.tif 000002
【図２】
0003694110.tif 000003
【図３】
0003694110.tif 000004
【図４】
0003694110.tif 000005
【図５】
0003694110.tif 000006